(57)【特許請求の範囲】
【請求項１】
完成図書の複数の種類のフォーマットを記憶しており、各フォーマットは、完成図書に挿入されるべき写真を撮影すべき箇所を示す位置情報および前記写真の用途情報を有している、フォーマット記憶部と、
前記複数の種類のフォーマットの中から選択された複数のフォーマットに挿入されるべき写真を撮影すべき箇所を示す位置情報および用途情報を送信する情報送信部と
を有するサーバ。
【請求項２】
前記フォーマットは、前記完成図書の一部である写真台帳のフォーマットである、請求項１に記載のサーバ。
【請求項３】
前記写真台帳は、補助金申請書に添付される書類であり、前記フォーマットは、補助金が給付された写真挿入済みの写真台帳と、補助金が給付されなかった写真挿入済みの写真台帳と、写真未挿入の写真台帳とのうちの少なくとも１つである、請求項２に記載のサーバ。
【請求項４】
前記フォーマットは、前記完成図書の一部である写真台帳を作成するための注意事項を有する、請求項２に記載のサーバ。
【請求項５】
前記フォーマット記憶部内のフォーマットは、共有権限を有する者からのアクセスを許容する、請求項１から４のいずれか一項に記載のサーバ。
【請求項６】
完成図書の複数の種類のフォーマットの中から選択された複数のフォーマットに挿入されるべき写真を撮影すべき箇所を示す位置情報および用途情報を受信する情報受信部、を有する端末。
【請求項７】
前記端末は、前記用途情報を表示する表示部を有する、請求項６に記載の端末。
【請求項８】
前記端末は、撮影時の画面上での撮影対象物の位置を定めるための線を表示するようにカメラ機能を制御するカメラ機能制御部を有する、請求項６または７に記載の端末。
【請求項９】
前記端末は、撮影時のブレを防止するようにカメラ機能を制御するカメラ機能制御部を有する、請求項６または７に記載の端末。
【請求項１０】
完成図書の複数の種類のフォーマットを記憶する記憶部を有するサーバが、前記複数の種類のフォーマットの中から選択された複数のフォーマットに挿入されるべき写真を撮影すべき箇所を示す位置情報および用途情報を送信するステップと、
端末が、前記位置情報および前記用途情報を受信するステップと、を含む方法。
【発明の詳細な説明】
【技術分野】
【０００１】
本開示は、完成図書管理サーバ、端末、および方法に関する。
【背景技術】
【０００２】
従来、空気調和機等の機器の施工時に、施工現場において、施工写真の撮影が行われている。このとき撮影された施工写真は、施工の完了時に施工状況の報告のために作成される書類（完成図書とも呼ばれる）に掲載される。
【０００３】
特許文献１では、一連の作業工程の撮影計画情報を作成して記録する管理装置と、この一連の撮影計画情報を管理装置から受信し、撮影計画情報に従って撮影するカメラ付携帯端末と、を備えた撮影装置およびプログラムが開示されている。
【先行技術文献】
【特許文献】
【０００４】
【特許文献１】特開２００５−２２９３８８号公報
【発明の概要】
【発明が解決しようとする課題】
【０００５】
しかしながら、１つの施工において、種々の用途のため（例えば、補助金の給付を申請するため、施工の発注者へ納品するため等）に複数の種類の完成図書を作成しなければならない場合がある。このような場合、特許文献１の手法では対処するのが困難であった。
【０００６】
本開示では、複数の種類の完成図書の作成を容易にすることを目的とする。
【課題を解決するための手段】
【０００７】
本開示の第１の態様によるサーバは、
完成図書の複数の種類のフォーマットを記憶しており、各フォーマットは、完成図書に挿入されるべき写真を撮影すべき位置情報および前記写真の用途情報を有している、フォーマット記憶部と、
前記複数の種類のフォーマットの中から選択された複数のフォーマットに挿入されるべき写真の位置情報および用途情報を送信する情報送信部と
を有する。
【０００８】
本開示の第１の態様によれば、複数の種類の完成図書の作成を容易にすることができる。種々の完成図書のために必要な写真の位置情報と用途情報を通知することができる。
【０００９】
また、本開示の第２の態様は、第１の態様に記載のサーバであって、
前記フォーマットは、前記完成図書の一部である写真台帳のフォーマットである。
【００１０】
本開示の第２の態様によれば、複数の種類の写真台帳の作成を容易にすることができる。
【００１１】
また、本開示の第３の態様は、第２の態様に記載のサーバであって、
前記写真台帳は、補助金申請書に添付される書類であり、前記フォーマットは、補助金が給付された写真挿入済みの写真台帳と、補助金が給付されなかった写真挿入済みの写真台帳と、写真未挿入の写真台帳とのうちの少なくとも１つである。
【００１２】
本開示の第３の態様によれば、完成図書作成者は、補助金が給付された写真挿入済みの写真台帳、補助金が給付されなかった写真挿入済みの写真台帳、写真未挿入の写真台帳のうちの少なくとも１つを参考にすることができる。
【００１３】
また、本開示の第４の態様は、第２の態様に記載のサーバであって、
前記フォーマットは、前記完成図書の一部である写真台帳を作成するための注意事項を有する。
【００１４】
本開示の第４の態様によれば、撮影者や完成図書作成者は、撮影や書類作成の際に注意すべき事項を知ることができる。
【００１５】
また、本開示の第５の態様は、第１の態様から第４の態様のいずれかの態様に記載のサーバであって、
前記フォーマット記憶部内のフォーマットは、共有権限を有する者からのアクセスを許容する。
【００１６】
本開示の第５の態様によれば、完成図書のフォーマットの情報が第三者に漏洩しないようにすることができる。
【００１７】
また、本開示の第６の態様による端末は、
完成図書の複数の種類のフォーマットの中から選択された複数のフォーマットに挿入されるべき写真を撮影すべき位置情報および用途情報を受信する情報受信部、を有する。
【００１８】
本開示の第６の態様によれば、端末は、複数の種類の完成図書を作成するために必要な写真の情報およびその写真の用途の情報を受信することができる。
【００１９】
また、本開示の第７の態様は、第６の態様に記載の端末であって、
前記用途情報を表示する表示部を有する。
【００２０】
本開示の第７の態様によれば、撮影者は、撮影すべき写真の用途を知ることができる。
【００２１】
また、本開示の第８の態様は、第６の態様または第７の態様に記載の端末であって、
撮影時の画面上での撮影対象物の位置を定めるための線を表示するようにカメラ機能を制御するカメラ機能制御部を有する。
【００２２】
本開示の第８の態様によれば、撮影者は、撮影時の画面上での撮影対象物の位置を定めるための操作をする必要がない。
【００２３】
また、本開示の第９の態様は、第６の態様または第７の態様に記載の端末であって、
前記端末は、撮影時のブレを防止するようにカメラ機能を制御するカメラ機能制御部を有する。
【００２４】
本開示の第９の態様によれば、撮影者は、撮影時のブレを防止するための操作をする必要がない。
【００２５】
また、本開示の第１０の態様による方法は、
完成図書の複数の種類のフォーマットを記憶する記憶部を有するサーバが、前記複数の種類のフォーマットの中から選択された複数のフォーマットに挿入されるべき写真の位置情報および用途情報を送信するステップと、
端末が、前記位置情報および前記用途情報を受信するステップと、を含む。
【図面の簡単な説明】
【００２６】
【図１】本開示の一実施形態に係る全体の構成を示す図である。
【図２】本開示の一実施形態に係る撮影端末の機能ブロック図である。
【図３】本開示の一実施形態に係るサーバの機能ブロック図である。
【図４】本開示の一実施形態に係る登録端末の機能ブロック図である。
【図５】本開示の一実施形態に係る完成図書作成端末の機能ブロック図である。
【図６】本開示の一実施形態に係る登録処理、生成処理、撮影処理、完成図書作成処理のシーケンス図である。
【図７】本開示の一実施形態に係る登録処理のフローチャートである。
【図８】本開示の一実施形態に係る位置情報・用途情報生成処理のフローチャートである。
【図９】本開示の一実施形態に係る撮影処理のフローチャートである。
【図１０】本開示の一実施形態に係る完成図書作成処理のフローチャートである。
【図１１】本開示の一実施形態に係る位置情報および用途情報の生成について説明するための図である。
【図１２】本開示の一実施形態に係る撮影端末、サーバ、登録端末、完成図書作成端末のハードウェア構成を示す図である。
【発明を実施するための形態】
【００２７】
以下、図面に基づいて本開示の実施の形態を説明する。
【００２８】
＜用語の説明＞
「完成図書」とは、任意の施工（例えば、空気調和機等の機器の施工）の完了時に施工状況の報告のために作成される書類である。１つの施工において、種々の用途のために複数の種類の完成図書が作成される。完成図書は、写真台帳を含む。さらに、完成図書は、機器納入書、取扱説明書、竣工図、空調機試運転表、気密試験結果表、通水試験結果表、風量測定試験比較表、設備管理台帳、保証書、保守連作先リスト等を含みうる。
【００２９】
「写真台帳」とは、施工写真が掲載された書類である。例えば、写真台帳は、補助金の給付を申請するために行政機関へ提出する書類の一部（補助金申請書に添付される書類）として用いられる。また、例えば、写真台帳は、施工者が建設会社（ゼネコンとも呼ばれる）等の施工の発注者へ納品する書類の一部として用いられる。
【００３０】
「施工写真」とは、施工時に、施工現場において撮影される写真である。例えば、施工される物（以下、施工対象物ともいう）が撮影される。なお、施工写真は、工事写真とも呼ばれる。
【００３１】
「機器」とは、任意の場所に設置される任意の種類の機器である。例えば、機器は、空気調和機の室内機、空気調和機の室外機、空気洗浄機等である。
【００３２】
＜全体の構成＞
図１は、本開示の一実施形態に係る全体の構成を示す図である。完成図書管理システム１は、撮影端末１０、サーバ２０、登録端末３０、完成図書作成端末４０を含むことができる。サーバ２０は、撮影端末１０、登録端末３０、完成図書作成端末４０と任意のネットワークを介して通信可能に接続されている。以下、それぞれについて説明する。
【００３３】
＜＜サーバ２０＞＞
サーバ２０は、１つまたは複数のコンピュータである。サーバ２０の記憶装置には、完成図書の複数の種類のフォーマット（例えば、補助金別のフォーマットやゼネコン別のフォーマット等）が記憶される。
【００３４】
ここで、フォーマットについて説明する。各フォーマットは、完成図書に挿入されるべき写真を撮影すべき位置情報および写真の用途情報を有している。位置情報は、例えば、施工写真が撮影されるべき所（例えば、"屋根・天井"、"空調設備（熱源設備）"、"空調設備＋証明設備"等）を示す。また、各フォーマットは、完成図書の一部である写真台帳を作成するための注意事項を有している。注意事項は、例えば、撮影の際に注意すべき事項、書類作成の際に注意すべき事項等である。
【００３５】
サーバ２０に記憶されているフォーマットは、既に作成された完成図書（つまり、フォーマットに既に写真が挿入されたもの）であってもよいし、未だ作成途中の完成図書（つまり、フォーマットに未だ写真が挿入されていないもの）であってもよい。
【００３６】
サーバ２０は、完成図書の複数の種類のフォーマットの中から選択された複数のフォーマット（例えば、補助金ＡのフォーマットとゼネコンＢのフォーマット等）に挿入されるべき写真を撮影すべき位置情報、および、その写真の用途情報を、撮影端末１０へ送信する。後段で、図３を参照しながら、サーバ２０について詳細に説明する。
【００３７】
＜＜撮影端末１０＞＞
撮影端末１０は、施工写真を撮影するための端末である。撮影端末１０は、カメラ機能を有する。例えば、撮影端末１０は、スマートフォン、タブレット等である。撮影端末１０は、完成図書の複数の種類のフォーマットの中から選択された複数のフォーマット（例えば、補助金ＡのフォーマットとゼネコンＢのフォーマット等）に挿入されるべき写真を撮影すべき位置情報、および、その写真の用途情報を、サーバ２０から受信する。撮影端末１０は、写真の用途情報を表示する構成とすることもできる。なお、撮影端末１０を操作する者を撮影者１１と呼ぶ。後段で、図２を参照しながら、撮影端末１０について詳細に説明する。
【００３８】
ここで、撮影端末１０に表示される用途情報について説明する。撮影端末１０は、各写真の用途情報を表示することができる。各写真の用途情報は、撮影された写真の１つまたは複数の用途（例えば、"補助金Ａのため"、"ゼネコンＢのため"、"補助金ＡとゼネコンＢの両方のため"等）を示す。
【００３９】
＜＜登録端末３０＞＞
登録端末３０は、事前に（つまり、撮影者１１が施工写真を撮影する前に）、フォーマットごとに、完成図書に挿入されるべき写真を撮影すべき位置情報をサーバ２０に登録するための端末である。例えば、登録端末３０は、パーソナルコンピュータ等である。なお、登録端末３０を操作する者を登録者３１と呼ぶ。後段で、図４を参照しながら、登録端末３０について詳細に説明する。
【００４０】
＜＜完成図書作成端末４０＞＞
完成図書作成端末４０は、サーバ２０に保存されているフォーマットに撮影端末１０が撮影した写真を挿入して完成図書を作成するための端末である。完成図書作成端末４０は、サーバ２０に保存されている既に作成された完成図書を表示することができる。例えば、完成図書作成端末４０は、パーソナルコンピュータ等である。なお、完成図書作成端末４０を操作する者を完成図書作成者４１と呼ぶ。後段で、図５を参照しながら、完成図書作成端末４０について詳細に説明する。
【００４１】
＜撮影端末１０の機能ブロック＞
図２は、本開示の一実施形態に係る撮影端末１０の機能ブロック図である。撮影端末１０は、情報受信部１０１を備える。なお、撮影端末１０は、表示部１０２、カメラ機能制御部１０３、画像送信部１０４をさらに備える構成とすることもできる。また、撮影端末１０は、プログラムを実行することで、情報受信部１０１として機能する。なお、撮影端末１０は、プログラムを実行することで、表示部１０２、カメラ機能制御部１０３、画像送信部１０４としてさらに機能する構成とすることもできる。以下、それぞれについて説明する。
【００４２】
情報受信部１０１は、完成図書の複数の種類のフォーマットの中から選択された複数のフォーマット（例えば、補助金ＡのフォーマットとゼネコンＢのフォーマット等）に挿入されるべき写真を撮影すべき位置情報、および、その写真の用途情報を、サーバ２０から受信する。また、情報受信部１０１は、完成図書の一部である写真台帳を作成するための注意事項（例えば、撮影の際に注意すべき事項）をサーバ２０から受信することができる。
【００４３】
表示部１０２は、サーバ２０から受信した位置情報および用途情報を表示する。また、表示部１０２は、サーバ２０から受信した、完成図書の一部である写真台帳を作成するための注意事項（例えば、撮影の際に注意すべき事項）を表示する。
【００４４】
カメラ機能制御部１０３は、撮影時の画面上での撮影対象物の位置を定めるための線を表示するようにカメラ機能を制御する。また、カメラ機能制御部１０３は、撮影時のブレを防止するようにカメラ機能を制御する。
【００４５】
画像送信部１０４は、撮影端末１０が撮影した写真（画像）をサーバ２０へ送信する。
【００４６】
＜サーバ２０の機能ブロック＞
図３は、本開示の一実施形態に係るサーバ２０の機能ブロック図である。サーバ２０は、フォーマット記憶部２０２、情報送信部２０４を備える。フォーマット記憶部２０２は、サーバ２０の記憶装置（図１２のＲＯＭ１００２等）によって実現される。なお、サーバ２０は、登録部２０１、情報生成部２０３、完成図書作成部２０５をさらに備える構成とすることもできる。また、サーバ２０は、プログラムを実行することで、情報送信部２０４として機能する。なお、サーバ２０は、プログラムを実行することで、登録部２０１、情報生成部２０３、完成図書作成部２０５としてさらに機能する構成とすることもできる。以下、それぞれについて説明する。
【００４７】
登録部２０１は、各フォーマットに挿入されるべき写真を撮影すべき位置情報（例えば、"屋根・天井"、"空調設備（熱源設備）"、"空調設備＋証明設備"等）を登録端末３０から受信する。また、登録部２０１は、物件情報（例えば、空気調和機等の機器が設置される物件（建物等）の情報）と、その物件の施工において作成される複数の種類の完成図書の各フォーマットに挿入されるべき写真を撮影すべき位置情報と、を紐付けてフォーマット記憶部２０２に記憶させる。
【００４８】
また、登録部２０１は、撮影端末１０が撮影した写真（画像）をフォーマット記憶部２０２に記憶させる。
【００４９】
フォーマット記憶部２０２には、完成図書の複数の種類のフォーマット（例えば、補助金別のフォーマットやゼネコン別のフォーマット等）が記憶される。上述したように、各フォーマットは、完成図書に挿入されるべき写真を撮影すべき位置情報および写真の用途情報を有している。また、各フォーマットは、完成図書の一部である写真台帳を作成するための注意事項を有している。
【００５０】
フォーマット記憶部２０２に記憶されているフォーマットは、既に作成された完成図書（つまり、フォーマットに既に写真が挿入されたもの）であってもよいし、未だ作成途中の完成図書（つまり、フォーマットに未だ写真が挿入されていないもの）であってもよい。
【００５１】
例えば、フォーマットが、補助金申請書に添付される写真台帳のフォーマットであるとき、補助金が給付された写真挿入済みの写真台帳と、補助金が給付されなかった写真挿入済みの写真台帳と、写真未挿入の写真台帳とのうちの少なくとも１つがフォーマット記憶部２０２に記憶されている。つまり、本開示の一実施形態では、複数の者が、各々の者によって作成された種々の補助金申請書に添付される写真台帳（写真挿入済みの写真台帳（補助金が給付されたもの・補助金が給付されなかったもの）や写真未挿入の写真台帳）を共有することができる。
【００５２】
また、フォーマット記憶部２０２には、撮影端末１０が撮影した写真（画像）が記憶される。
【００５３】
なお、フォーマット記憶部２０２に記憶されているフォーマットは、共有権限を有する者からのアクセスを許容するようにしてもよい。つまり、予め定められた共有権限を有する者のみが、フォーマット記憶部２０２内の予め定められたフォーマット（例えば、社内で共有されているフォーマット、グループ企業内で共有されているフォーマット等）へアクセスすることができる。
【００５４】
情報生成部２０３は、撮影端末１０に送信するための位置情報および用途情報を生成する。具体的には、情報生成部２０３は、フォーマット記憶部２０２内の複数の種類のフォーマットの中から、登録端末３０が位置情報を登録した複数のフォーマット（つまり、撮影端末１０が撮影する施工写真が挿入されることになる複数のフォーマット）を選択する。また、情報生成部２０３は、登録端末３０が位置情報を登録した複数のフォーマットのうちの少なくとも１つのフォーマットに挿入される写真を撮影すべき位置情報を、撮影端末１０へ送信する位置情報として生成する。また、情報生成部２０３は、登録端末３０が位置情報を登録したフォーマットに基づいて、各写真の用途情報を生成する。
【００５５】
情報送信部２０４は、位置情報および用途情報を撮影端末１０へ送信する。
【００５６】
完成図書作成部２０５は、完成図書作成端末４０からの要求に応じて、完成図書のフォーマットを完成図書作成端末４０へ送信する。また、完成図書作成部２０５は、完成図書作成端末４０が作成した完成図書（つまり、フォーマットに既に写真が挿入されたもの）を完成図書作成端末４０から受信する。完成図書作成部２０５は、受信した完成図書（つまり、フォーマットに既に写真が挿入されたもの）をフォーマット記憶部２０２に記憶させる。また、完成図書作成部２０５は、完成図書の一部である写真台帳を作成するための注意事項を完成図書作成端末４０から受信することができる。完成図書作成部２０５は、受信した注意事項をフォーマットに紐付けてフォーマット記憶部２０２に記憶させることができる。
【００５７】
＜登録端末３０の機能ブロック＞
図４は、本開示の一実施形態に係る登録端末３０の機能ブロック図である。登録端末３０は、登録部３０１を備える。また、登録端末３０は、プログラムを実行することで、登録部３０１として機能する。以下、詳細に説明する。
【００５８】
登録部３０１は、登録者３１による指示に応じて、位置情報を登録するフォーマット（例えば、補助金Ａのフォーマット）を選択する。
【００５９】
位置情報を登録するフォーマットが既にサーバ２０に記憶されている場合には、登録部３０１は、サーバ２０に記憶されているフォーマットの中から、位置情報を登録するフォーマットを選択する。
【００６０】
位置情報を登録するフォーマットが未だサーバ２０に記憶されていない場合（つまり、登録者３１がその種類のフォーマットの最初の登録者である場合）には、登録部３０１は、登録者３１によって作成されたフォーマットを、位置情報を登録するフォーマットとする。例えば、登録者３１は、補助金申請書の作成要領を読みフォーマットを作成する。なお、管理者等が、登録されるフォーマットが適切であるか否かをチェックするようにしてもよい。
【００６１】
登録部３０１は、選択したフォーマット（例えば、補助金Ａのフォーマット）に挿入されるべき写真を撮影すべき位置情報（例えば、""屋根・天井"、"空調設備（熱源設備）"、"空調設備＋証明設備"等）の入力を受け付ける。また、登録部３０１は、各フォーマットに挿入されるべき写真を撮影すべき位置情報をサーバ２０へ送信する。また、登録部３０１は、登録者３１によって入力された、完成図書の一部である写真台帳を作成するための注意事項をサーバ２０へ送信することができる。
【００６２】
＜完成図書作成端末４０の機能ブロック＞
図５は、本開示の一実施形態に係る完成図書作成端末４０の機能ブロック図である。完成図書作成端末４０は、完成図書作成部４０１を備える。また、完成図書作成端末４０は、プログラムを実行することで、完成図書作成部４０１として機能する。以下、詳細に説明する。
【００６３】
完成図書作成部４０１は、完成図書作成者４１が作成したい完成図書のフォーマットを、サーバ２０から受信する。また、完成図書作成部４０１は、完成図書を作成する。また、完成図書作成部４０１は、作成した完成図書（つまり、フォーマットに既に写真が挿入されたもの）をサーバ２０へ送信する。また、完成図書作成部４０１は、完成図書作成者４１によって入力された、完成図書の一部である写真台帳を作成するための注意事項をサーバ２０へ送信することができる。
【００６４】
＜処理方法＞
図６は、本開示の一実施形態に係る登録処理、生成処理、撮影処理、完成図書作成処理のシーケンス図である。以下、登録処理（ステップ１１〜１２）、生成処理（ステップ２１）撮影処理（ステップ３１〜３４）、完成図書作成処理（ステップ４１〜４４）に分けて説明する。
【００６５】
＜＜登録処理＞＞
ステップ１１（Ｓ１１）において、登録端末３０は、物件情報（例えば、空気調和機等の機器が設置される物件（建物等）の情報）と、その物件の施工において作成される複数の種類の完成図書の各フォーマットに挿入されるべき写真を撮影すべき位置情報と、をサーバ２０へ送信する。
【００６６】
ステップ１２（Ｓ１２）において、サーバ２０は、Ｓ１１で受信した各フォーマットに挿入されるべき写真を撮影すべき位置情報をサーバ２０のフォーマット記憶部２０２に記憶させる。
【００６７】
＜＜生成処理＞＞
ステップ２１（Ｓ２１）において、サーバ２０は、撮影端末１０に送信するための位置情報および用途情報を生成する。具体的には、サーバ２０は、登録端末３０が位置情報を登録した複数のフォーマット（つまり、撮影端末１０が撮影する施工写真が挿入されることになる複数のフォーマット）のうちの少なくとも１つのフォーマットに挿入される写真を撮影すべき位置情報を、撮影端末１０へ送信する位置情報として生成する。また、サーバ２０は、登録端末３０が位置情報を登録したフォーマットに基づいて、各写真の用途情報を生成する。
【００６８】
＜＜撮影処理＞＞
ステップ３１（Ｓ３１）において、撮影端末１０は、完成図書の複数の種類のフォーマットの中から選択された複数のフォーマット（例えば、補助金ＡのフォーマットとゼネコンＢのフォーマット等）に挿入されるべき写真を撮影すべき位置情報、および、その写真の用途情報を、サーバ２０から受信する。撮影端末１０は、写真の用途情報を表示することができる。また、撮影端末１０は、完成図書の一部である写真台帳を作成するための注意事項（例えば、撮影の際に注意すべき事項）をサーバ２０から受信して表示することができる。
【００６９】
例えば、サーバ２０は、撮影端末１０から指定された物件情報（例えば、空気調和機等の機器が設置される物件（建物等）の情報）についての、位置情報および用途情報を撮影端末１０へ送信する。
【００７０】
ステップ３２（Ｓ３２）において、撮影端末１０は、施工写真を撮影する。例えば、撮影者１１が、Ｓ３１の位置情報で示される所を撮影するよう撮影端末１０を操作する。
【００７１】
ステップ３３（Ｓ３３）において、撮影端末１０は、Ｓ３２で撮影した写真（画像）をサーバ２０へ送信する。
【００７２】
ステップ３４（Ｓ３４）において、サーバ２０は、Ｓ３３で受信した写真（画像）をサーバ２０のフォーマット記憶部２０２に記憶させる。
【００７３】
＜＜完成図書作成処理＞＞
ステップ４１（Ｓ４１）において、完成図書作成端末４０は、完成図書作成者４１が作成したい完成図書のフォーマットを、サーバ２０から取得する。
【００７４】
ステップ４２（Ｓ４２）において、完成図書作成端末４０は、完成図書を作成する。例えば、完成図書作成者４１が、Ｓ４１のフォーマット内の所定の箇所に、サーバ２０から取得した写真（つまり、撮影端末１０が撮影した写真）を挿入するよう完成図書作成端末４０を操作する。また、完成図書作成端末４０は、完成図書の一部である写真台帳を作成するための注意事項（例えば、書類作成の際に注意すべき事項）をサーバ２０から受信して表示することができる。
【００７５】
その際、完成図書作成者４１は、サーバ２０に保存されている他の者によって既に作成された完成図書（つまり、フォーマットに既に写真が挿入されたもの）あるいは未だ作成途中の完成図書（つまり、フォーマットに未だ写真が挿入されていないもの）を完成図書作成端末４０に表示させて、参考にすることができる。例えば、完成図書作成者４１は、補助金申請書に添付される写真台帳を作成する際に、補助金が給付された写真挿入済みの写真台帳と、補助金が給付されなかった写真挿入済みの写真台帳と、写真未挿入の写真台帳とのうちの少なくとも１つを参考にすることができる。
【００７６】
ステップ４３（Ｓ４３）において、完成図書作成端末４０は、Ｓ４２で作成した完成図書（つまり、フォーマットに既に写真が挿入されたもの）をサーバ２０へ送信する。また、完成図書作成端末４０は、完成図書作成者４１によって入力された、完成図書の一部である写真台帳を作成するための注意事項をサーバ２０へ送信することができる。
【００７７】
ステップ４４（Ｓ４４）において、サーバ２０は、Ｓ４３で受信した完成図書（つまり、フォーマットに既に写真が挿入されたもの）をサーバ２０のフォーマット記憶部２０２に記憶させる。また、サーバ２０は、Ｓ４３で受信した注意事項をフォーマットに紐付けてサーバ２０のフォーマット記憶部２０２に記憶させることができる。
【００７８】
なお、上記のように完成図書作成者４１がフォーマット内の所定の箇所に写真を挿入する操作をするのではなく、サーバ２０が、各写真とフォーマット内の各箇所とを紐付ける情報に基づいて、フォーマット内の所定の箇所に写真を挿入する構成とすることもできる。以下、詳細に説明する。
【００７９】
＜＜完成図書の自動作成＞＞
サーバ２０は、各フォーマット内で写真が挿入される各箇所に識別子（以下、属性情報ともいう）を付与して管理する。撮影端末１０は、撮影した写真（画像）に、その写真（画像）が挿入されるべき箇所の属性情報を付与する。サーバ２０は、撮影端末１０が撮影した写真（画像）に付与されている属性情報を参照して、各写真（画像）をフォーマット内の所定の箇所に挿入する。このように、本開示の一実施形態では、施工写真が撮影されると、サーバ２０が自動的に複数の種類の完成図書を作成することができる。
【００８０】
図７は、本開示の一実施形態に係る登録処理のフローチャートである。
【００８１】
ステップ１０１（Ｓ１０１）において、登録端末３０の登録部３０１は、登録者３１による指示に応じて、位置情報を登録するフォーマット（例えば、補助金Ａのフォーマット）を選択する。
【００８２】
位置情報を登録するフォーマットが既にサーバ２０に記憶されている場合には、登録端末３０の登録部３０１は、サーバ２０に記憶されているフォーマットの中から、位置情報を登録するフォーマットを選択する。
【００８３】
位置情報を登録するフォーマットが未だサーバ２０に記憶されていない場合（つまり、登録者３１がその種類のフォーマットの最初の登録者である場合）には、登録端末３０の登録部３０１は、登録者３１によって作成されたフォーマットを、位置情報を登録するフォーマットとする。例えば、登録者３１は、補助金申請書の作成要領を読みフォーマットを作成する。
【００８４】
ステップ１０２（Ｓ１０２）において、登録端末３０の登録部３０１は、Ｓ１０１で選択したフォーマット（例えば、補助金Ａのフォーマット）に挿入されるべき写真を撮影すべき位置情報（例えば、"屋根・天井"、"空調設備（熱源設備）"、"空調設備＋証明設備"等）の入力を受け付ける。次に、登録端末３０の登録部３０１は、各フォーマットに挿入されるべき写真を撮影すべき位置情報をサーバ２０へ送信する。また、登録端末３０の登録部３０１は、登録者３１によって入力された、完成図書の一部である写真台帳を作成するための注意事項をサーバ２０へ送信することができる。
【００８５】
図８は、本開示の一実施形態に係る位置情報・用途情報生成処理のフローチャートである。
【００８６】
ステップ２０１（Ｓ２０１）において、サーバ２０の情報生成部２０３は、フォーマット記憶部２０２内の複数の種類のフォーマットの中から、登録端末３０が位置情報を登録した複数のフォーマット（つまり、撮影端末１０が撮影する施工写真が挿入されることになる複数のフォーマット）を選択する。
【００８７】
ステップ２０２（Ｓ２０２）において、サーバ２０の情報生成部２０３は、Ｓ２０１で選択した複数のフォーマットのうちの少なくとも１つのフォーマットに挿入される写真を撮影すべき位置情報を、撮影端末１０へ送信する位置情報として生成する。また、サーバ２０は、登録端末３０が位置情報を登録したフォーマットに基づいて、各写真の用途情報を生成する。
【００８８】
図９は、本開示の一実施形態に係る撮影処理のフローチャートである。
【００８９】
ステップ３０１（Ｓ３０１）において、撮影端末１０の情報受信部１０１は、完成図書の複数の種類のフォーマットの中から選択された複数のフォーマット（例えば、補助金ＡのフォーマットとゼネコンＢのフォーマット等）に挿入されるべき写真を撮影すべき位置情報、および、その写真の用途情報を、サーバ２０から受信する。撮影端末１０の表示部１０２は、写真の用途情報を表示することができる。また、撮影端末１０の情報受信部１０１が、完成図書の一部である写真台帳を作成するための注意事項（例えば、撮影の際に注意すべき事項）をサーバ２０から受信して、撮影端末１０の表示部１０２が、注意事項を表示することができる。
【００９０】
ステップ３０２（Ｓ３０２）において、撮影端末１０は、施工写真を撮影する。例えば、撮影者１１が、Ｓ３０１の位置情報で示される所を撮影するよう撮影端末１０を操作する。
【００９１】
ステップ３０３（Ｓ３０３）において、撮影端末１０の画像送信部１０４は、Ｓ３０２で撮影した写真（画像）をサーバ２０へ送信する。
【００９２】
図１０は、本開示の一実施形態に係る完成図書作成処理のフローチャートである。
【００９３】
ステップ４０１（Ｓ４０１）において、完成図書作成端末４０の完成図書作成部４０１は、完成図書作成者４１が作成したい完成図書のフォーマットを、サーバ２０から受信する。
【００９４】
ステップ４０２（Ｓ４０２）において、完成図書作成端末４０の完成図書作成部４０１は、完成図書を作成する。例えば、完成図書作成者４１が、Ｓ４０１のフォーマット内の所定の箇所に、サーバ２０から取得した写真（つまり、撮影端末１０が撮影した写真）を挿入するよう完成図書作成端末４０を操作する。
【００９５】
ステップ４０３（Ｓ４０３）において、完成図書作成端末４０の完成図書作成部４０１は、Ｓ４０２で作成した完成図書（つまり、フォーマットに既に写真が挿入されたもの）をサーバ２０へ送信する。また、完成図書作成端末４０の完成図書作成部４０１は、完成図書作成者４１によって入力された、完成図書の一部である写真台帳を作成するための注意事項をサーバ２０へ送信することができる。
【００９６】
図１１は、本開示の一実施形態に係る位置情報および用途情報の生成について説明するための図である。１つの施工において、フォーマットＡ（例えば、補助金Ａのフォーマット）の完成図書とフォーマットＢ（例えば、ゼネコンＢのフォーマット）の完成図書を作成するとする。
【００９７】
登録端末３０は、フォーマットＡに挿入されるべき写真の位置情報およびフォーマットＢに挿入されるべき写真の位置情報をサーバ２０に登録する。図１１の左上に示されるように、フォーマットＡに挿入されるべき写真の位置情報が、「屋根・天井［施工前］」、「屋根・天井［施工中］」、「屋根・天井［施工後］」、「空調設備（熱源設備）［施工前］」、「空調設備（熱源設備）［施工中］」、「空調設備（熱源設備）［施工後］」、「空調設備＋証明設備［施工前］」、「空調設備＋証明設備［施工中］」、「空調設備＋証明設備［施工後］」であったとする。また、図１１の右上に示されるように、フォーマットＢに挿入されるべき写真の位置情報が、「空調設備（熱源設備）［施工前］」、「空調設備（熱源設備）［施工中］」、「空調設備（熱源設備）［施工後］」、「空調設備＋証明設備［施工前］」、「空調設備＋証明設備［施工中］」、「空調設備＋証明設備［施工後］」であったとする。
【００９８】
サーバ２０は、撮影端末１０に送信するための位置情報および用途情報を生成する。具体的には、サーバ２０は、登録端末３０が位置情報を登録した複数のフォーマットのうちの少なくとも１つのフォーマット（つまり、フォーマットＡとフォーマットＢのうちの少なくとも１つのフォーマット）に挿入される写真を撮影すべき位置情報を、撮影端末１０へ送信する位置情報として生成する。また、サーバ２０は、登録端末３０が位置情報を登録したフォーマットに基づいて、各写真の用途情報を生成する。例えば、図１１の例では、「屋根・天井［施工前］」、「屋根・天井［施工中］」、「屋根・天井［施工後］」の用途は、フォーマットＡ（"補助金Ａのため"）であり、「空調設備（熱源設備）［施工前］」、「空調設備（熱源設備）［施工中］」、「空調設備（熱源設備）［施工後］」、「空調設備＋証明設備［施工前］」、「空調設備＋証明設備［施工中］」、「空調設備＋証明設備［施工後］」の用途は、フォーマットＡとフォーマットＢ（"補助金ＡとゼネコンＢの両方のため"）である。
【００９９】
このように、本開示の一実施形態では、撮影者１１は、施工写真を撮影する際に、各写真の用途（例えば、"補助金Ａのため"、"ゼネコンＢのため"、"補助金ＡとゼネコンＢの両方のため"等）を知ることができる。また、本開示の一実施形態では、完成図書作成者４１は、他の者によって作成された完成図書を参考にすることができる。
【０１００】
＜ハードウェア構成＞
図１２は、本開示の一実施形態に係る撮影端末１０、サーバ２０、登録端末３０、完成図書作成端末４０のハードウェア構成を示す図である。撮影端末１０、サーバ２０、登録端末３０、完成図書作成端末４０は、ＣＰＵ（Central Processing Unit）１００１、ＲＯＭ（Read Only Memory）１００２、ＲＡＭ（Random Access Memory）１００３を有する。ＣＰＵ１００１、ＲＯＭ１００２、ＲＡＭ１００３は、いわゆるコンピュータを形成する。
【０１０１】
また、撮影端末１０、サーバ２０、登録端末３０、完成図書作成端末４０は、補助記憶装置１００４、表示装置１００５、操作装置１００６、Ｉ／Ｆ（Interface）装置１００７、ドライブ装置１００８を有することができる。なお、撮影端末１０、サーバ２０、登録端末３０、完成図書作成端末４０の各ハードウェアは、バスＢを介して相互に接続されている。
【０１０２】
ＣＰＵ１００１は、補助記憶装置１００４にインストールされている各種プログラムを実行する演算デバイスである。
【０１０３】
ＲＯＭ１００２は、不揮発性メモリである。ＲＯＭ１００２は、補助記憶装置１００４にインストールされている各種プログラムをＣＰＵ１００１が実行するために必要な各種プログラム、データ等を格納する主記憶デバイスとして機能する。具体的には、ＲＯＭ１００２はＢＩＯＳ（Basic Input/Output System）やＥＦＩ（Extensible Firmware Interface）等のブートプログラム等を格納する、主記憶デバイスとして機能する。
【０１０４】
ＲＡＭ１００３は、ＤＲＡＭ（Dynamic Random Access Memory）やＳＲＡＭ（Static Random Access Memory）等の揮発性メモリである。ＲＡＭ１００３は、補助記憶装置１００４にインストールされている各種プログラムがＣＰＵ１００１によって実行される際に展開される作業領域を提供する、主記憶デバイスとして機能する。
【０１０５】
補助記憶装置１００４は、各種プログラムや、各種プログラムが実行される際に用いられる情報を格納する補助記憶デバイスである。
【０１０６】
表示装置１００５は、撮影端末１０、サーバ２０、登録端末３０、完成図書作成端末４０の内部状態等を表示する表示デバイスである。
【０１０７】
操作装置１００６は、撮影端末１０、サーバ２０、登録端末３０、完成図書作成端末４０の管理者が撮影端末１０、サーバ２０、登録端末３０、完成図書作成端末４０に対して各種指示を入力する入力デバイスである。
【０１０８】
Ｉ／Ｆ装置１００７は、ネットワークに接続し、撮影端末１０、サーバ２０、登録端末３０、完成図書作成端末４０等と通信を行うための通信デバイスである。
【０１０９】
ドライブ装置１００８は記憶媒体１００９をセットするためのデバイスである。ここでいう記憶媒体１００９には、ＣＤ−ＲＯＭ、フレキシブルディスク、光磁気ディスク等のように情報を光学的、電気的あるいは磁気的に記録する媒体が含まれる。また、記憶媒体１００９には、ＲＯＭ、フラッシュメモリ等のように情報を電気的に記録する半導体メモリ等が含まれていてもよい。
【０１１０】
なお、補助記憶装置１００４にインストールされる各種プログラムは、例えば、配布された記憶媒体１００９がドライブ装置１００８にセットされ、該記憶媒体１００９に記録された各種プログラムがドライブ装置１００８により読み出されることでインストールされる。あるいは、補助記憶装置１００４にインストールされる各種プログラムは、Ｉ／Ｆ装置１００７を介して、ネットワークよりダウンロードされることでインストールされてもよい。
【０１１１】
なお、撮影端末１０に内蔵されているカメラあるいは撮影端末１０に接続されているカメラが施工写真を撮影する。つまり、撮影端末１０がカメラを内蔵している（撮影端末１０とカメラが１つのデバイスである）構成であってもよいし、撮影端末１０がカメラと接続されている（撮影端末１０とカメラが別々のデバイスである）構成であってもよい。
【０１１２】
以上、実施形態を説明したが、特許請求の範囲の趣旨及び範囲から逸脱することなく、形態や詳細の多様な変更が可能なことが理解されるであろう。
【符号の説明】
【０１１３】
１  完成図書管理システム
１０  撮影端末
１１  撮影者
２０  サーバ
３０  登録端末
３１  登録者
４０  完成図書作成端末
４１  完成図書作成者
１０１  情報受信部
１０２  表示部
１０３  カメラ機能制御部
１０４  画像送信部
２０１  登録部
２０２  フォーマット記憶部
２０３  情報生成部
２０４  情報送信部
２０５  完成図書作成部
３０１  登録部
４０１  完成図書作成部
【要約】      （修正有）【課題】複数の種類の完成図書の作成を容易にする完成図書管理サーバ、端末、および方法を提供する。【解決手段】完成図書管理システムにおいて、サーバ２０は、完成図書の複数の種類のフォーマットを記憶しており、各フォーマットは、完成図書に挿入されるべき写真を撮影すべき位置情報および写真の用途情報を有しているフォーマット記憶部２０２と、複数の種類のフォーマットの中から選択された複数のフォーマットに挿入されるべき写真の位置情報および用途情報を送信する情報送信部２０４と、を有する。【選択図】図３【図１】
0006927349.tif 000002
【図２】
0006927349.tif 000003
【図３】
0006927349.tif 000004
【図４】
0006927349.tif 000005
【図５】
0006927349.tif 000006
【図６】
0006927349.tif 000007
【図７】
0006927349.tif 000008
【図８】
0006927349.tif 000009
【図９】
0006927349.tif 000010
【図１０】
0006927349.tif 000011
【図１１】
0006927349.tif 000012
【図１２】
0006927349.tif 000013